(57)【要約】      （修正有）【課題】顔画像が異なるタイミングで撮影されたものであっても、注目領域における肌状態の変化を容易に比較できる肌分析装置を提供する。【解決手段】肌分析装置１０は、被測定者の顔画像から特定した顔部位の位置を基準に、顔画像に対して顔座標を設定する顔座標設定部２０３と、被測定者の第１の顔画像に対して第１の注目領域を設定し、被測定者の第２の顔画像に対して顔座標において第１の注目領域と共通である第２の注目領域を設定する注目領域設定部２０７と、第１の顔画像と第２の顔画像とを並べて表示すると共に、第１の顔画像に対する第１の注目領域における肌分析結果と、第２の顔画像に対する第２の注目領域における肌分析結果とを表示する肌分析ＵＩ部２０６とを備える。【選択図】図３
2020081323.tif 000002
【特許請求の範囲】
【請求項１】
被測定者の顔画像から特定した顔部位の位置を基準に、前記顔画像に対して顔座標を設定する顔座標設定部と、
前記被測定者の第１の顔画像に対して第１の注目領域を設定し、前記被測定者の第２の顔画像に対して前記顔座標において前記第１の注目領域と共通である第２の注目領域を設定する注目領域設定部と、
前記第１の顔画像と前記第２の顔画像とを並べて表示すると共に、前記第１の顔画像に対する前記第１の注目領域における肌分析結果と、前記第２の顔画像に対する前記第２の注目領域における肌分析結果とを表示する肌分析ＵＩ（User Interface）部と、
を備える、肌分析装置。
【請求項２】
前記肌分析結果は、毛穴の数、シミの面積、シミの濃度、皺の面積、又は皺の深さであり、
前記肌分析ＵＩ部は、
前記第１の顔画像に対する前記第１の注目領域に、前記第１の注目領域における肌分析結果に応じた描画を行い、
前記第２の顔画像に対する前記第２の注目領域に、前記第２の注目領域における肌分析結果に応じた描画を行う、
請求項１に記載の肌分析装置。
【請求項３】
前記注目領域設定部は、
前記被測定者が顔に受けた施術の内容と当該施術の位置とを含む電子カルテ情報を所定のデータベースから取得し、
前記顔座標において前記電子カルテ情報の前記施術の位置と共通である、前記第１及び第２の顔画像の位置に、それぞれ、前記第１及び第２の注目領域を設定する、
請求項１に記載の肌分析装置。
【請求項４】
前記注目領域設定部は、前記肌分析結果又は前記施術の内容に応じて、前記注目領域のサイズを決定する、
請求項３に記載の肌分析装置。
【請求項５】
前記注目領域設定部は、
前記第１の顔画像全体の肌分析結果と、前記第２の顔画像全体の肌分析結果とを比較し、肌分析結果の変化が最も大きい領域を、前記第１及び第２の注目領域に設定する、
請求項１に記載の肌分析装置。
【請求項６】
前記顔座標の設定の基準とされる前記顔部位の位置は、前記顔画像から特定された目の位置である、
請求項１に記載の肌分析装置。
【請求項７】
肌分析装置が、
被測定者の顔画像から特定した顔部位の位置を基準に、前記顔画像に対して顔座標を設定し、
前記被測定者の第１の顔画像に対して第１の注目領域を設定し、前記被測定者の第２の顔画像に対して前記顔座標において前記第１の注目領域と共通である第２の注目領域を設定し、
前記第１の顔画像と前記第２の顔画像とを並べて表示すると共に、前記第１の顔画像に対する前記第１の注目領域における肌分析結果と、前記第２の顔画像に対する前記第２の注目領域における肌分析結果とを表示する、
肌分析方法。
【請求項８】
被測定者の顔画像から特定した顔部位の位置を基準に、前記顔画像に対して顔座標を設定し、
前記被測定者の第１の顔画像に対して第１の注目領域を設定し、前記被測定者の第２の顔画像に対して前記顔座標において前記第１の注目領域と共通である第２の注目領域を設定し、
前記第１の顔画像と前記第２の顔画像とを並べて表示すると共に、前記第１の顔画像に対する前記第１の注目領域における肌分析結果と、前記第２の顔画像に対する前記第２の注目領域における肌分析結果とを表示する、
ことをコンピュータに実行させる、
コンピュータプログラム。
【発明の詳細な説明】
【技術分野】
【０００１】
本発明は、肌分析装置、肌分析方法、及び、コンピュータプログラムに関する。
【背景技術】
【０００２】
従来、被測定者の顔を撮影した顔画像に基づき、顔の肌状態を分析し、分析結果を可視化及び定量化することが行われている。特許文献１には、顔画像から顔部位の位置を自動的に認識し、その認識した顔部位の位置に基づいて、肌の分析対象の領域（以下「肌分析領域」という）を自動的に設定する装置が開示されている。
【０００３】
また、異なるタイミングで撮影された顔画像は、顔画像に写っている顔のサイズ及び／又は構図などが異なる。これに対して、特許文献２には、今回撮影した被化粧者の顔画像と、過去に撮影した被化粧者の顔画像とを、所定の割合で合成して表示する方法が開示されている。
【先行技術文献】
【特許文献】
【０００４】
【特許文献１】国際公開第２０１５／０１５７９３号
【特許文献２】特開２０１０−８６０３６号公報
【特許文献３】特開２００３−１８７２５１号公報
【発明の概要】
【発明が解決しようとする課題】
【０００５】
しかし、特許文献２の方法は、比較対象の顔画像の縦横比が変化してしまうため、例えば、顔の一部に施術を受けた場合など、当該顔の一部の領域に注目（以下「注目領域」という）して肌状態の変化を比較する場合に適用することはできない。
【０００６】
本開示の非限定的な実施例は、顔画像が異なるタイミングで撮影されたものであっても、注目領域における肌状態の変化を容易に比較できる肌分析装置、肌分析方法、及び、コンピュータプログラムの提供に資する。
【課題を解決するための手段】
【０００７】
本開示の一態様に係る肌分析装置は、被測定者の顔画像から特定した顔部位の位置を基準に、前記顔画像に対して顔座標を設定する顔座標設定部と、前記被測定者の第１の顔画像に対して第１の注目領域を設定し、前記被測定者の第２の顔画像に対して前記顔座標において前記第１の注目領域と共通である第２の注目領域を設定する注目領域設定部と、前記第１の顔画像と前記第２の顔画像とを並べて表示すると共に、前記第１の顔画像に対する前記第１の注目領域における肌分析結果と、前記第２の顔画像に対する前記第２の注目領域における肌分析結果とを表示する肌分析ＵＩ（User Interface）部と、を備える。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の非限定的な実施例によれば、顔画像が異なるタイミングで撮影されたものであっても、注目領域における肌状態の変化を容易に比較できる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】実施の形態１に係る肌分析装置の利用例を示す図である。
【図２】実施の形態１に係る肌分析装置の動作概要を示すフローチャートである。
【図３】実施の形態１に係る肌分析装置の構成例を示す図である。
【図４】実施の形態１に係る肌分析装置によって撮影された正面顔の顔画像の例を示す図である。
【図５】実施の形態１に係る肌分析装置によって撮影された右横顔の顔画像の例を示す図である。
【図６】実施の形態１に係る肌分析装置によって撮影された左横顔の顔画像の例を示す図である。
【図７】実施の形態１に係る正面顔の顔画像に設定された顔座標の一例を示す図である。
【図８】実施の形態１に係る右横顔の顔画像に設定された顔座標の一例を示す図である。
【図９】実施の形態１に係る左横顔の顔画像に設定された顔座標の一例を示す図である。
【図１０】実施の形態１に係る縮尺の異なる正面顔の顔画像に設定された顔座標の一例を示す図である。
【図１１】実施の形態１に係る比較ＵＩの一例を示す図である。
【図１２】実施の形態２に係る連携システムの構成例を示す図である。
【図１３】実施の形態２に係る連携システムを用いた診察の流れの例を示すフローチャートである。
【図１４】実施の形態２に係る患者新規登録ＵＩの一例を示す図である。
【図１５】実施の形態２に係る患者検索ＵＩの一例を示す図である。
【図１６】実施の形態２に係る過去一覧ＵＩの一例を示す図である。
【図１７】実施の形態２に係るカルテＵＩ部の処理例を示すフローチャートである。
【図１８】実施の形態２に係る顔イラストの一例を示す図である。
【図１９】実施の形態２に係る第１の処理例を示すフローチャートである。
【図２０】実施の形態２に係る第２の処理例を示すフローチャートである。
【図２１】実施の形態２に係る第２の処理例の顔イラストの一例を示す図である。
【図２２】実施の形態２に係る第３の処理例を示すフローチャートである。
【図２３】実施の形態２に係る第３の処理例の顔イラストの一例を示す図である。
【図２４】実施の形態２に係る第４の処理例を示すフローチャートである。
【図２５】実施の形態３に係る連携システムの構成例を示す図である。
【図２６】実施の形態３に係る連携ＤＢの構成例を示す図である。
【図２７】実施の形態３に係る施術回数と肌スコアとの相関関係の一例を示す図である。
【図２８】実施の形態３に係る施術後の肌スコアの予想の一例を示す図である。
【図２９】本開示に係るハードウェア構成の一例を示す図である。
【発明を実施するための形態】
【００１２】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
（実施の形態１）
＜肌分析装置の概要＞
図１は、肌分析装置の利用例を示す。図２のフローチャートは、肌分析装置の動作概要の一例を示す。次に、図１及び図２を参照して、肌分析装置の概要について説明する。
【００１４】
肌分析の測定を受ける人である被測定者２は、図１に示すように、肌分析装置１０の前に座り、肌分析装置１０に対して肌分析の開始を指示する。肌分析装置１０は、この開始の指示を受けて、次の動作を開始する。
【００１５】
肌分析装置１０は、カメラ１０１から被測定者２の顔を撮影する（Ｓ１１）。以下、カメラ１０１によって撮影された被測定者２の顔の画像を「顔画像」と表現する。
【００１６】
肌分析装置１０は、Ｓ１１にて撮影した顔画像から、顔部位を認識する（Ｓ１２）。顔部位とは、例えば、顔の輪郭、目、鼻、口、眉、及び、髪の毛の生え際など、顔において特徴的な部分である。なお、顔部位は、顔パーツ、又は顔特徴部分などと表現されてもよい。
【００１７】
肌分析装置１０は、Ｓ１２にて認識した顔部位の位置を基準にして、顔画像に対して顔座標を設定する（Ｓ１３）。なお、顔座標については後述する。
【００１８】
肌分析装置１０は、Ｓ１２にて認識した顔部位の位置などに基づいて、顔画像に、肌分析を実行する領域（以下「肌分析領域」という）を設定する（Ｓ１４）。肌分析装置１０は、Ｓ１４にて設定した各肌分析領域に対して、肌分析を実行する（Ｓ１５）。肌分析装置１０は、Ｓ１５にて実行した肌分析の結果を、ディスプレイ１０２に表示する（Ｓ１６）。
【００１９】
被測定者２は、上述のように肌分析装置１０を利用することにより、簡単に肌分析を受けることができる。以下、詳細に説明する。
【００２０】
＜肌分析装置の構成＞
次に、図３を参照して、肌分析装置１０の構成を説明する。
【００２１】
肌分析装置１０は、例えば、カメラ１０１、ディスプレイ１０２、入力Ｉ／Ｆ１０３、記憶部１０４、及び、制御部１０５を備える。また、肌分析装置１０は、肌分析ＤＢ（Database）２０に接続されてよい。
【００２２】
カメラ１０１は、被測定者２の顔を撮影する。なお、図１では、カメラ１０１が肌分析装置１０に内蔵されているが、カメラ１０１は肌分析装置１０とは別の装置であってもよい。この場合、カメラ１０１は、所定の有線通信又は無線通信を通じて、撮影した顔画像を肌分析装置１０へ送信してよい。
【００２３】
ディスプレイ１０２は、画像及び情報などを表示する。ディスプレイ１０２は、ハーフミラーの機能を有したミラーディスプレイであってもよい。なお、図１では、ディスプレイ１０２が肌分析装置１０に内蔵されているが、ディスプレイ１０２は肌分析装置１０とは別の装置であってもよい。この場合、肌分析装置１０は、表示用のデータを、所定の有線通信又は無線通信を通じて、ディスプレイ１０２へ送信してよい。
【００２４】
入力Ｉ／Ｆ１０３は、肌分析装置１０を操作する人（以下「操作者」という）からの指示を受け付ける。操作者は、被測定者と同一人物であってもよいし、被測定者と異なる人物であってもよい。また、肌分析装置１０は、複数の入力Ｉ／Ｆ１０３を備えてもよい。例えば、肌分析装置１０は、入力Ｉ／Ｆ１０３として、タッチパネル、マウス、キーボード、撮影指示用のボタン、及び、音声入力用のマイクなどを備えてもよい。また、入力Ｉ／Ｆ１０３は、肌分析装置１０とは別の装置であってもよい。この場合、入力Ｉ／Ｆ１０３は、入力されたデータを、所定の有線通信又は無線通信を通じて、肌分析装置１０へ送信してよい。
【００２５】
記憶部１０４は、制御部１０５に使用されるデータを記憶するための装置である。記憶部１０４は、ＤＲＡＭ（Dynamic Random Access Memory）などの揮発性メモリであってもよいし、ＳＳＤ（Solid State Drive）などの不揮発性メモリであってもよいし、これらの組み合わせであってもよい。
【００２６】
制御部１０５は、肌分析装置１０が有する機能を実現するための装置であり、例えばＣＰＵ（Central Processing Unit）である。例えば、制御部１０５は、記憶部１０４に記憶されたコンピュータプログラムを実行することにより、後述する、撮影処理部２０１、顔部位認識部２０２、顔座標設定部２０３、分析領域設定部２０４、肌分析実行部２０５、肌分析ＵＩ部２０６、及び、注目領域設定部２０７に係る機能を実現してよい。
【００２７】
撮影処理部２０１は、カメラ１０１を制御して被測定者２の顔を撮影し、顔画像を生成する。なお、撮影処理部２０１は、カメラ１０１で撮影中の顔画像をリアルタイムにディスプレイ１０２に表示してよい。これにより、操作者は、ディスプレイ１０２を見ながら、被測定者２の顔が正しく撮影されるように、顔の位置及び向きなどを調整できる。
【００２８】
また、撮影処理部２０１は、被測定者２の正面顔、左横顔、及び右横顔を撮影してよい。左横顔及び右横顔が適切に撮影されるように、肌分析装置１０には、図１に示すように、被測定者２から向かってカメラ１０１よりも左側の位置に鏡１１ａが備えられ、被測定者２から向かってカメラ１０１よりも右側の位置に鏡１１ｂが備えられてよい。左側の鏡１１ａの向き（角度）は、被測定者２がその左側の鏡１１ａに正面顔が映るように顔を向けたときに、カメラ１０１が被測定者２の適切な右横顔を撮影できるように備えられてよい。右側の鏡１１ｂの向き（角度）は、被測定者２がその右側の鏡１１ｂに正面顔が映るように顔を向けたときに、カメラ１０１が被測定者２の適切な左横顔を撮影できるように備えられてよい。
【００２９】
また、撮影処理部２０１は、撮影に際し、被測定者２に対して正面を向くように指示し、カメラ１０１から正面顔を撮影してよい。図４は、被測定者２の正面顔を撮影した顔画像２５０ａの一例である。次に、撮影処理部２０１は、被測定者２に対して左側の鏡１１ａに正面顔が映るように顔を向けるよう指示し、カメラ１０１から右横顔を撮影してよい。図５は、被測定者２の右横顔を撮影した顔画像２５０ｂの一例である。最後に、撮影処理部２０１は、被測定者２に対して右側の鏡１１ｂに正面顔が映るように顔を向けるようを指示し、カメラ１０１から左横顔を撮影してよい。図６は、被測定者２の左横顔を撮影した顔画像２５０ｃの一例である。以下、正面顔、左横顔及び右横顔を区別して説明する必要が無い場合は、顔画像と表現する。
【００３０】
顔部位認識部２０２は、例えば次の処理によって顔部位を認識する。まず、顔部位認識部２０２は、公知の画像処理技術を用いて、顔画像２５０から特徴点を抽出する。次に、顔部位認識部２０２は、その抽出した特徴点から、顔の輪郭、目、鼻、口、眉、及び、髪の毛の生え際などの顔部位を認識する。
【００３１】
顔座標設定部２０３は、顔部位認識部２０２によって認識された顔部位（例えば両目）の位置を基準に、顔画像に対して、当該顔画像から特定した顔部位を基準とする相対的な座標（以下「顔座標」という）を設定する。顔座標は、顔画像毎に設定される。なお、顔座標設定部２０３の詳細については、後の「顔座標設定部の詳細」にて説明する。
【００３２】
分析領域設定部２０４は、顔部位認識部２０２によって認識された各顔部位の位置などに基づいて、顔画像に少なくとも１つの肌分析領域を設定する。
【００３３】
肌分析実行部２０５は、分析領域設定部２０４によって顔画像に設定された各肌分析領域に対して、肌分析を実行する。例えば、肌分析実行部２０５は、顔画像における肌分析領域内に対して公知の画像処理を適用して、皺、シミ、及び／又は、毛穴などの量を分析する。また、肌分析実行部２０５は、顔画像と、当該顔画像に設定された顔座標と、当該顔画像の肌分析結果と、を対応付けて、肌分析ＤＢ２０に格納する。
【００３４】
肌分析ＵＩ部２０６は、ＵＩを生成してディスプレイ１０２に表示し、入力Ｉ／Ｆ１０３を介して、ＵＩに対する操作を受け付ける。例えば、肌分析ＵＩ部２０６は、各構成要素２０１〜２０７での処理結果に係る画像及び情報を、ディスプレイ１０２に表示する。また、肌分析ＵＩ部２０６は、入力Ｉ／Ｆ１０３を介して入力された被測定者２からの操作内容を、各構成要素２０１〜２０７に送信する。
【００３５】
また、肌分析ＵＩ部２０６は、肌分析ＤＢ２０から選択された同一被測定者の第１及び第２の顔画像と、当該第１及び第２の顔画像のそれぞれの肌分析結果と、を含む比較ＵＩを生成及び表示する。なお、肌分析ＵＩ部２０６の詳細については、後の「比較ＵＩの詳細」にて説明する。
【００３６】
注目領域設定部２０７は、第１の顔画像に対して第１の注目領域を設定し、第２の顔画像に対して、顔座標において第１の注目領域と共通である第２の注目領域を設定する。これにより、第１の顔画像及び第２の顔画像に撮影されている被測定者の顔の縮尺又は構図が異なる場合でも、第１の注目領域及び第２の注目領域は、被測定者の実際の顔において共通の位置に設定される。なお、注目領域設定部２０７の詳細については、後の「比較ＵＩの詳細」にて説明する。
【００３７】
肌分析ＤＢ２０は、被測定者２の顔画像と、当該顔画像に設定された顔座標と、当該顔画像の肌分析結果とを対応付けて管理する。なお、図３において、肌分析ＤＢ２０は、肌分析装置１０とは別の装置であるが、肌分析ＤＢ２０は、肌分析装置１０に内蔵されてもよい。
【００３８】
＜顔座標設定部の詳細＞
同一被測定者の顔画像であっても、異なるタイミング（例えば別の時刻又は別の日）に撮影した顔画像では、顔画像に写っている顔のサイズなどが異なる。また、同一被測定者の顔画像であっても、異なる向きの顔を撮影した顔画像では、顔画像に写っている顔の構図が異なる。一方、同一被測定者の場合、顔画像のサイズ又は構図が異なるとしても、顔部位の位置関係はほとんど変化しない。そこで、顔座標設定部２０３は、顔画像に対して、当該顔画像から特定した顔部位を基準とする相対的な座標（顔座標）４００を設定する。これにより、同一被測定者の顔画像のサイズ又は構図などが異なる場合であっても、顔座標４００を用いて、被測定者の実際の顔の位置を指定できる。
【００３９】
次に、図７から図１０を参照して、顔座標の一例について説明する。図７は、正面顔の顔画像に設定された顔座標４００の一例を示す。図８は、右横顔の顔画像に設定された顔座標４００の一例を示す。図９は、左横顔の顔画像に設定された顔座標４００の一例を示す。図１０は、図７の顔画像とは写っている顔のサイズが異なる正面顔の顔画像に設定された顔座標４００の一例を示す。
【００４０】
例えば、図７に示すように、顔座標設定部２０３は、顔画像における左右の目を結ぶ直線の中心を原点Ｏとする顔座標４００を設定してよい。顔座標設定部２０３は、原点Ｏから目の中心までの長さに応じて、顔座標４００の単位長（図７に示す１区画の１辺の長さ）を決定してよい。例えば、顔座標設定部２０３は、原点Ｏから左目（又は右目）の中心までの長さを、顔座標４００の単位長に決定してよい。また、例えば、図８及び図９に示すように、顔座標設定部２０３は、顔画像における左右の目を結ぶ直線が傾く場合、その傾きに合った顔座標４００を設定してよい。
【００４１】
これにより、図７から図１０に示すように、顔の向きの異なる顔画像、及び／又は、顔のサイズの異なる顔画像に対して、共通の顔座標４００によって構成される領域（以下「顔座標領域」という）Ｐを指定することにより、被測定者の実際の顔における共通の位置を指定できる。
【００４２】
＜肌分析ＵＩ部の詳細＞
図１１は、肌分析ＵＩ部が生成する比較ＵＩの一例を示す。
【００４３】
肌分析ＵＩ部２０６は、図１１に例示するように、同一被測定者の、第１の肌分析結果５０１と、第２の肌分析結果５０２と、を並べた比較ＵＩ５００を生成及び表示する。なお、図１１では、説明をわかりやすくするために顔座標４００も表示しているが、比較ＵＩ５００において顔座標４００は非表示であってよい。
【００４４】
操作者が、図１１に示すように、例えば指アイコン５０３を操作して、第１の肌分析結果５０１の顔画像に注目領域Ｒ１を設定した場合、注目領域設定部２０７は、次の処理を実行する。すなわち、注目領域設定部２０７は、第１の肌分析結果５０１の顔画像に設定された顔座標４００から注目領域Ｒ１に対応する顔座標領域Ｐを算出し、第２の肌分析結果５０２の顔画像に設定された顔座標４００上の当該算出した顔座標領域Ｐに、注目領域Ｒ２を設定する。
【００４５】
一方、操作者が、第２の肌分析結果５０２の顔画像に注目領域Ｒ２を設定した場合、注目領域設定部２０７は、次の処理を実行する。すなわち、注目領域設定部２０７は、第２の肌分析結果５０２の顔画像に設定された顔座標４００から注目領域Ｒ２に対応する顔座標領域Ｐを算出し、第１の肌分析結果５０１の顔画像に設定された第２の顔座標４００上の当該算出した顔座標領域Ｐに、注目領域Ｒ１を設定する。
【００４６】
なお、肌分析ＵＩ部２０６は、第１の肌分析結果５０１の顔画像上に注目領域Ｒ１を示す枠線を表示し、第２の肌分析結果５０２の顔画像上に注目領域Ｒ２を示す枠線を表示してよい。
【００４７】
また、注目領域Ｒ１，Ｒ２のサイズは、操作者によって入力されてよい。或いは、注目領域Ｒ１，Ｒ２のサイズは、肌分析対象物５０４（例えばシミ、皺、又は毛穴など）毎に予め定められてもよい。なお、図１１では、注目領域のサイズが顔座標４００の１区画であるが、注目領域のサイズは、２区画以上であってもよいし、１区画より小さくてもよい。
【００４８】
また、比較ＵＩ５００では、図１１に示す「シミ」ボタン５０５、「毛穴」ボタン５０６、及び、「皺」ボタン５０７によって、肌分析対象物５０４を切り替え可能であってよい。例えば、「シミ」ボタン５０５が押下されると、注目領域Ｒ１、Ｒ２内における、シミの肌分析結果が表示されてよい。
【００４９】
また、肌分析ＵＩ部２０６は、比較ＵＩ５００において、注目領域Ｒ１、Ｒ２にて認識された肌分析対象物５０４を、肌の色と区別可能な態様で表示してよい。例えば、肌分析ＵＩ部２０６は、次の（Ａ１）、（Ａ２）、（Ａ３）、或いはそれらの組み合わせによって、肌分析対象物５０４を表示してよい。
【００５０】
（Ａ１）肌分析ＵＩ部２０６は、注目領域Ｒ１，Ｒ２内において、シミ、毛穴、又は皺の部分を、肌の色とは色相が大きく異なる色で表示（ハイライト表示）する。なお、肌分析ＵＩ部２０６は、シミ、毛穴、又は皺の部分の輪郭のみをハイライト表示してもよい。また、肌分析ＵＩ部２０６は、注目領域Ｒ１，Ｒ２を拡大表示してもよい。
【００５１】
（Ａ２）肌分析ＵＩ部２０６は、注目領域Ｒ１，Ｒ２内において、シミの濃さ、皺の深さ、又は毛穴の大きさに応じて、ハイライト表示の色の濃さを変化させて表示する。
【００５２】
（Ａ３）肌分析ＵＩ部２０６は、注目領域Ｒ１内における肌スコア５０８と、注目領域Ｒ２内における肌スコア５０９とを表示する。肌スコアは、例えば、毛穴の数、毛穴の密度、シミの面積、シミの濃さ、皺の面積、皺の深さなど、肌分析対象物５０４に応じて算出される値である。
【００５３】
比較ＵＩ５００によれば、被測定者の顔の所望の位置における肌分析対象物５０４の相違又は変化を、視覚的（例えばハイライト表示）及び／又は数値的（例えば肌スコア）に認識できる。例えば、被測定者が顔の一部に施術を受ける場合において、施術前の肌分析結果と施術後の肌分析結果とを比較ＵＩ５００にて表示し、当該施術の位置に注目領域を設定することにより、施術前後における施術位置の肌分析対象物５０４の変化を容易に認識できる。
【００５４】
（実施の形態２）
肌分析装置１０を用いることにより、顔の一部に施術を受けた患者（被測定者）の施術効果を測定できる。また、近年では、多くの医療機関が、電子カルテを用いて施術内容を管理している。そこで、実施の形態２では、電子カルテと連携できる肌分析装置１０について説明する。
【００５５】
図１２は、実施の形態２に係る連携システムの構成例を示す。
【００５６】
連携システムは、例えば、肌分析装置１０、肌分析ＤＢ２０、電子カルテ装置３０、タブレット端末３２、及び電子カルテＤＢ４０を有する。これらの装置１０、２０、３０、３２、４０は、通信ネットワーク５０（例えばＬＡＮ又はインターネット等）を通じて、データを送受信できる。なお、図３と同様の構成要素については、同一の参照符号を付し、説明を省略する場合がある。
【００５７】
電子カルテ装置３０は、例えばＰＣであり、医師又は看護師などの医療従事者に対して、電子カルテの機能を提供する。電子カルテ装置３０は、例えば、カルテＵＩ部３０１を有する。カルテＵＩ部３０１は、医療従事者に対して、電子カルテを利用するためのＵＩであるカルテＵＩを提供し、電子カルテへの入力などを受け付ける。カルテＵＩ部３０１は、カルテＵＩに入力された内容を、電子カルテＤＢ４０に格納する。
【００５８】
タブレット端末３２は、例えば、タッチパネル型ディスプレイを備える携帯可能な装置である。タブレット端末３２は、肌分析装置１０及び／又は電子カルテ装置３０と連携して利用される。
【００５９】
＜診察の流れ＞
次に、図１３のフローチャートを参照して、診察の流れの一例について説明する。
【００６０】
まず、医療従事者（操作者）は、肌分析装置１０を用いて、患者（被測定者）の顔画像を撮影する。肌分析装置１０は、この撮影された顔画像に対して肌分析を行い、肌分析結果を肌分析ＤＢ２０に登録する（Ｓ５１）。
【００６１】
次に、医師は、患者の診察を行うために、カルテＵＩを操作して、電子カルテＤＢ４０から患者の電子カルテを検索する（Ｓ５２）。
【００６２】
次に、医師は、患者の電子カルテから施術内容（例えば前回施術を行った日付及び部位など）を確認する（Ｓ５３）。このとき、電子カルテ装置３０は、表示中の患者の診察券番号、施術部位及び／又は比較対象の日時などを検索キーとしてタブレット端末３２に送信し、タブレット端末３２は、その検索キーに対応する肌分析結果を肌分析ＤＢ２０から取得して表示する（Ｓ５４）。これにより、医師は、タブレット端末３２に患者の肌分析結果を表示して、当該患者に見せることができる。すなわち、医師は、患者に対するカウンセリングをスムーズに行うことができる。
【００６３】
最後に、医師は、本日の施術内容及び次回の施術予定内容などのカウンセリング結果を、電子カルテに記録する（Ｓ５５）。電子カルテ装置３０は、この電子カルテへの記録内容を、電子カルテＤＢ４０に反映する。
【００６４】
このように、医師は、施術前後において、肌分析装置を用いたカウンセリングを行ってよい。なお、診察券番号は、患者を一意に識別するための情報（患者ＩＤ）の一例である。したがって、診察券番号に代えて、電話番号などが用いられてもよい。
【００６５】
＜肌分析装置、電子カルテ装置、及びタブレット端末の連携＞
次に、肌分析装置１０、電子カルテ装置３０及びタブレット端末３２の連携の一例について説明する。
【００６６】
図１４は、患者新規登録ＵＩ５５０の一例を示す図である。患者新規登録ＵＩ５５０は、初めて肌分析を行う患者の患者情報を登録するためのＵＩである。例えば、医療従事者は、図１３のＳ５１において、肌分析装置１０及び／又はタブレット端末３２に、当該患者新規登録ＵＩ５５０を表示させ、患者情報を登録する。
【００６７】
図１４に示すように、患者新規登録ＵＩ５５０は、患者情報の入力を受け付ける。患者情報は、例えば、患者の性、名、生年月日、及び診察券番号などである。肌分析装置１０又はタブレット端末３２は、当該患者新規登録ＵＩ５５０に入力された患者情報を、肌分析ＤＢ２０に登録する。
【００６８】
また、図１４に示すように、患者新規登録ＵＩ５５０は、「電子カルテと同期」ボタン５５１を有する。「電子カルテと同期」ボタン５５１がタッチされると、肌分析装置１０又はタブレット端末３２は、患者新規登録ＵＩ５５０に入力された患者情報を、電子カルテＤＢ４０にも登録する。これにより、一度の入力で肌分析ＤＢ２０と電子カルテＤＢ４０の両方に患者情報を登録することができる。
【００６９】
図１５は、患者検索ＵＩ５６０の一例を示す図である。患者検索ＵＩ５６０は、肌分析を行う患者の患者情報を検索するためのＵＩである。例えば、医療従事者は、図１３のＳ５１において、肌分析装置１０及び／又はタブレット端末３２に、当該患者検索ＵＩ５６０を表示させ、患者情報を検索する。
【００７０】
図１５に示すように、患者検索ＵＩ５６０は、検索キーの入力を受け付ける。検索キーは、例えば、患者の性、名、生年月日及び診察券番号などである。肌分析装置１０又はタブレット端末３２は、肌分析ＤＢから、その入力された検索キーに対応する患者情報を取得する。
【００７１】
また、図１５に示すように、患者検索ＵＩ５６０は、「電子カルテより」ボタン５６１を有する。「電子カルテより」ボタン５６１がタッチされると、肌分析装置１０又はタブレット端末３２は、例えば、電子カルテ装置３０のカルテＵＩ部３０１が現在表示中の電子カルテの診察券番号等を検索キーとして、肌分析ＤＢ２０から、その検索キーに対応する患者情報を取得する。これにより、診察券番号等の検索キーを入力することなく、診察を受ける患者の患者情報を取得できる。
【００７２】
図１６は、過去一覧ＵＩ５７０の一例を示す図である。過去一覧ＵＩ５７０は、患者の過去の肌分析結果を一覧表示するためのＵＩである。例えば、医療従事者は、図１３のＳ５１において、肌分析装置１０及び／又はタブレット端末３２に、当該過去一覧ＵＩ５７０を表示させ、患者の過去の肌分析結果を確認する。
【００７３】
図１６に示すように、過去一覧ＵＩ５７０は、肌分析結果として、肌分析を行った日時５７１と、当該日時に関連する施術情報５７２と、当該肌分析の結果を示す顔画像５７３とを対応付けて表示する。肌分析装置１０又はタブレット端末３２は、この日時に関連する施術情報５７２を、電子カルテＤＢ４０から、患者情報及び日時を検索キーとして取得してよい。施術情報５７２には、例えば、施術内容（しみに対するレーザー治療、又は、目の下へのヒアルロン酸注入など）と、施術回数（１回目、２回目など）とが含まれてよい。
【００７４】
また、過去一覧ＵＩ５７０は、肌分析の結果を示す顔画像５７３として、分析対象（例えばシミ、毛穴、及び皺）毎の分析結果を示す顔画像を表示してもよい。
【００７５】
また、過去一覧ＵＩ５７０は、分析結果を、共通の施術内容を１つのグループ５７４にまとめて表示してもよい。なお、当該グループ５７４内において、肌分析結果を、肌分析を行った日付順に並べて表示してもよい。
【００７６】
また、過去一覧ＵＩ５７０は、選択された分析対象に対応する顔画像をハイライト表示（図１６では顔画像の太枠５７５で表現）してもよい。図１６は、「目の下へのヒアルロン酸注入」の施術内容を１つのグループ５７４にまとめ、そのグループ５７４において、分析対象「皺」の顔画像をハイライト表示（５７５）した例である。
【００７７】
これらにより、医療従事者は、例えば図１３のＳ５１において、過去一覧ＵＩ５７０を参照し、今回の肌分析で撮影すべきポイントを容易に確認できる。
【００７８】
＜カルテＵＩ部の詳細＞
次に、図１７に示すフローチャートを参照して、カルテＵＩ部３０１の処理を説明する。
【００７９】
カルテＵＩ部３０１は、図１８に例示するような顔イラスト６００を含むカルテＵＩを表示する（Ｓ１０１）。医療従事者は、カルテＵＩに、患者情報、施術日、施術内容、及び、施術位置を入力する。なお、患者情報の例は、患者の氏名、年齢、性別及び診察券番号などである。このとき、医療従事者は、図１８に例示する顔イラスト６００に対して、施術位置及び施術内容を入力する（Ｓ１０２）。施術内容の例は、ヒアルロン酸の注入、又は、レーザー治療などである。
【００８０】
カルテＵＩ部３０１は、顔イラスト６００に対して予め設定されている顔座標４００を用いて、Ｓ１０２にて入力された施術位置に対応する顔座標領域を算出する（Ｓ１０３）。なお、図１８では、説明をわかりやすくするために顔座標も表示しているが、カルテＵＩにおいて顔座標４００は非表示であってよい。
【００８１】
カルテＵＩ部３０１は、Ｓ１０２にて入力された患者情報及び施術内容と、Ｓ１０３にて算出された施術位置に対応する顔座標領域と、を関連付けて、電子カルテＤＢ４０に格納する（Ｓ１０４）。
【００８２】
以上の処理により、電子カルテＤＢ４０には、施術位置に対応する顔座標領域を関連付けられた電子カルテが格納される。
【００８３】
＜電子カルテ連携の例＞
次に、肌分析装置１０による、電子カルテＤＢ４０に格納された電子カルテと、肌分析ＤＢ２０に格納された肌分析結果との連携の例（Ｂ１）、（Ｂ２）、（Ｂ３）及び（Ｂ４）を示す。
【００８４】
次に、図１９のフローチャートを参照して、例（Ｂ１）について説明する。
【００８５】
肌分析ＵＩ部２０６は、施術日、又は、施術回（第１回目の施術、第２回目の施術など）の入力を受け付ける（Ｓ２０１）。医療従事者（操作者）は、比較対象の施術日、又は、施術回を入力する（Ｓ２０２）。なお、施術回が入力された場合、肌分析ＵＩ部２０６は、その施術回の施術が行われた施術日を特定する。
【００８６】
肌分析ＵＩ部２０６は、Ｓ２０２の施術日に対応する電子カルテを、電子カルテＤＢ４０から取得する（Ｓ２０３）。肌分析ＵＩ部２０６は、Ｓ２０３の電子カルテから、施術位置に対応する顔座標領域を算出する（Ｓ２０４）。
【００８７】
肌分析ＵＩ部２０６は、肌分析ＤＢ２０から、Ｓ２０２の施術日の顔画像（第１の顔画像）及び肌分析結果（第１の肌分析結果）と、比較対象とする第２の顔画像及び第２の肌分析結果と、を取得する（Ｓ２０５）。なお、第２の肌分析結果は、最新の肌分析結果であってもよいし、操作者が選択したものであってもよい。
【００８８】
注目領域設定部２０７は、Ｓ２０５の第１の顔画像と第２の顔画像とに対して、Ｓ２０４の顔座標領域に対応する領域に、注目領域を設定する（Ｓ２０６）。この注目領域のサイズは、電子カルテに記録されている施術内容に応じて、予め定められていてよい。例えば、施術内容が「ヒアルロン酸注入」の場合、注目領域のサイズは直径３ｃｍと予め定められてよい。
【００８９】
肌分析ＵＩ部２０６は、Ｓ２０５の注目領域における、第１の肌分析結果と第２の肌分析結果とを比較する比較ＵＩを表示する（Ｓ２０７）。この比較ＵＩは、実施の形態１にて説明した何れの比較ＵＩであってもよい。
【００９０】
例（Ｂ１）によれば、医療従事者（操作者）及び施術を受けた患者（被測定者）は、比較ＵＩから、施術位置における施術効果を、素早く且つ簡単に比較できる。
【００９１】
次に、図２０のフローチャートを参照して、例（Ｂ２）について説明する。
【００９２】
肌分析ＵＩ部２０６は、図２１に例示するような顔イラスト６００を表示し、顔イラスト６００に対する施術位置の入力を受け付ける（Ｓ３０１）。
【００９３】
医療従事者（操作者）は、顔イラスト６００に対して、例えば指アイコン６０２を操作して、被測定者の施術位置を入力する（Ｓ３０２）。
【００９４】
肌分析ＵＩ部２０６は、Ｓ３０２の施術位置を含む被測定者の電子カルテを、電子カルテＤＢ４０から検索及び取得する（Ｓ３０３）。
【００９５】
肌分析ＵＩ部２０６は、Ｓ３０３にて取得した電子カルテのリストを表示し、電子カルテの選択を受け付ける（Ｓ３０４）。操作者は、電子カルテのリストから、電子カルテを１つ選択する（Ｓ３０５）。
【００９６】
肌分析ＵＩ部２０６は、肌分析ＤＢ２０から、Ｓ３０５にて選択された電子カルテに係る施術日の顔画像（第１の顔画像）及び肌分析結果（第１の肌分析結果）と、比較対象とする第２の顔画像及び第２の肌分析結果と、を取得する（Ｓ３０６）。なお、第２の肌分析結果は、最新の肌分析結果であってもよいし、医療従事者が選択したものであってもよい。
【００９７】
注目領域設定部２０７は、第１の顔画像と第２の顔画像とに対して、顔イラスト６００に入力された施術位置に対応する顔座標領域に、注目領域を設定する（Ｓ３０７）。なお、注目領域設定部２０７は、Ｓ３０５にて選択された電子カルテに記録されている施術内容に応じて、注目領域のサイズを決定してよい。
【００９８】
肌分析ＵＩ部２０６は、Ｓ３０７の注目領域における、第１の肌分析結果と第２の肌分析結果とを比較する比較ＵＩを表示する（Ｓ３０８）。この比較ＵＩは、実施の形態１にて説明した何れの比較ＵＩであってもよい。
【００９９】
例（Ｂ２）によれば、医療従事者（操作者）及び患者（被測定者）は、比較ＵＩから、施術位置における、施術直後の肌の状態と最新の肌の状態とを、素早く且つ簡単に比較できる。例えば、１年前に施術した目の周りに皺が増えているかどうかを簡単に比較できる。
【０１００】
次に、図２２のフローチャートを参照して、例（Ｂ３）について説明する。
【０１０１】
肌分析ＵＩ部２０６は、肌分析ＤＢ２０から、患者の肌分析結果を取得する（Ｓ４０１）。肌分析ＵＩ２０５は、その取得した肌分析結果をリスト形式で表示し、肌分析結果の選択を受け付ける（Ｓ４０２）。医療従事者（操作者）は、そのリストから、肌分析結果を１つ選択する（Ｓ４０３）。
【０１０２】
注目領域設定部２０７は、Ｓ４０２にて選択された肌分析結果（第１の肌分析結果）と、比較対象とする第２の肌分析結果とを比較し、顔全体において肌スコアが最も悪化している部分に、注目領域を設定する（Ｓ４０４）。なお、第２の肌分析結果は、最新の肌分析結果であってもよいし、医療従事者が選択したものであってもよい。
【０１０３】
注目領域設定部２０７は、その注目領域に対応する顔座標領域Ｐを算出する（Ｓ４０５）。注目領域設定部２０７は、顔イラスト６００における、Ｓ４０４の顔座標領域Ｐに対応する位置を特定する（Ｓ４０６）。
【０１０４】
肌分析ＵＩ部２０６は、図２３に例示するように、顔イラスト６００における、Ｓ４０４にて特定した位置に、悪化状態を示すイラスト６０３を表示する（Ｓ４０７）。例えば、肌分析ＵＩ部２０６は、注目領域において悪化した肌分析対象物（例えば増えた皺）のイラスト６０３を表示する。
【０１０５】
例（Ｂ３）によれば、医療従事者（操作者）及び患者（被測定者）は、悪化状態を示すイラスト９０２を描画された顔イラスト６００から、肌の状態が悪化した部分を、素早く且つ簡単に認識できる。
【０１０６】
次に、図２４のフローチャートを参照して、例（Ｂ４）について説明する。
【０１０７】
注目領域設定部２０７は、患者の施術位置に対応する顔座標領域を算出する（Ｓ５０１）。なお、施術位置は、電子カルテに記録されているものであってよい。或いは、施術位置は、医療従事者（操作者）によって顔イラスト６００に入力されたものであってもよい。
【０１０８】
注目領域設定部２０７は、肌分析ＤＢ２０から、患者の肌分析結果を取得する（Ｓ５０２）。注目領域設定部２０７は、各肌分析結果に対して、顔座標領域に対応する注目領域を設定する（Ｓ５０３）。
【０１０９】
肌分析ＵＩ部２０６は、各肌領域結果の注目領域における肌スコアの変化を算出する（Ｓ５０４）。
【０１１０】
肌分析ＵＩ部２０６は、Ｓ５０４の肌スコアの変化を表示する（Ｓ５０５）。なお、肌分析ＵＩ部２０６は、肌スコアの変化と施術回との関係を表示してもよい。例えば、肌分析ＵＩ部２０６は、第４回の施術から注目領域の肌スコアが良化している場合、「第４回の施術から良化」と表示してよい。
【０１１１】
例（Ｂ４）によれば、医療従事者（操作者）及び患者（被測定者）は、施術を受けた部分の肌の状態の変化を、素早く且つ簡単に認識できる。
【０１１２】
（実施の形態３）
肌に対する施術効果は、複数回の施術後に現れる場合もある。そこで、実施の形態３では、大量の施術内容に対する肌分析結果を統計的に分析した結果に基づいて、患者の施術後の肌分析結果を予想できる肌分析装置１０について説明する。
【０１１３】
図２５は、実施の形態３に係る連携システムの構成例を示す。なお、図３又は図１２と同様の構成要素については、同一の参照符号を付し、説明を省略する場合がある。
【０１１４】
実施の形態３に係る連携システムは、図１２に示す構成要素に加えて、連携ＤＢ６０を有する。連携ＤＢ６０は、通信ネットワーク５０に接続されており、肌分析装置１０及び電子カルテ装置３０とデータを送受信できる。なお、連携ＤＢ６０の詳細については、後の「連携ＤＢの詳細」にて説明する。
【０１１５】
また、肌分析装置１０は、図３又は図１２に示す構成要素に加えて、施術分析部２０８を有する。施術分析部２０８は、電子カルテＤＢ４０内の電子カルテと、肌分析ＤＢ２０内の肌分析結果とを参照し、施術内容と当該施術後の肌分析結果とを対応付け、連携ＤＢ６０に格納する。また、施術分析部２０８は、連携ＤＢ６０内の複数の肌分析結果を用いて、施術回数と肌分析結果との相関関係を算出する。なお、施術分析部２０８の詳細については、後の「施術分析部の詳細」にて説明する。
【０１１６】
＜連携ＤＢの詳細＞
図２６は、連携ＤＢ６０の構成例を示す。
【０１１７】
連携ＤＢ６０は、複数の連携情報を管理する。連携情報は、データ項目として、患者属性、施術日、施術内容、施術位置、施術回数、及び、肌スコアを有する。
【０１１８】
患者属性は、患者の性別及び年齢など、患者の属性を示す情報である。施術日は、施術が行われた日付を示す情報である。施術内容は、施術日に行われた施術の内容を示す情報である。施術位置は、施術内容の施術が行われた顔の位置を示す情報である。施術回数は、施術位置に行われた施術の回数を示す情報である。肌スコアは、施術内容の施術が行われた後に測定された肌スコアを示す情報である。肌スコアは、シミ、皺、及び毛穴など、肌分析対象物毎の肌スコアであってよい。
【０１１９】
＜施術分析部の詳細＞
図２７は、各施術回における統計肌スコアを示すグラフである。
【０１２０】
施術分析部２０８は、連携ＤＢ６０の複数の連携情報を用いて、各施術回における統計肌スコア９９１を算出する。例えば、第ｎ（ｎは１以上の整数）回目の統計肌スコア９９１は、同じ施術を受けた複数の患者の第ｎ回目の肌スコアの平均値であってよい。また、統計肌スコア９９１は、図２７に示すように、範囲Ｗを示す値であってもよい。この範囲は、複数の肌スコアの分散値に基づいて算出されてよい。
【０１２１】
また、施術分析部２０８は、共通の患者属性（例えば４０代の女性など）を有する連携情報をグループ化し、グループ毎の統計肌スコア９９１を算出してもよい。また、施術分析部２０８は、注目領域における統計肌スコア９９１を算出してもよい。
【０１２２】
図２８は、患者の施術後の肌スコアの予想値を示すグラフである。
【０１２３】
施術分析部２０８は、各施術回の統計肌スコア９９１を用いて、患者が今後施術を行った場合における、当該患者の肌スコア９９２の変化を予想する。例えば、施術分析部２０８は、図２８に示すように、患者の第１回目及び第２回目の施術後の肌スコア９９２の実績値（実線）が、統計肌スコア９９１と同様の傾向に変化すると想定して、当該患者が今後第３回目及び第４回目の施術を行った場合の肌スコア９９２の予想値（破線）を算出する。
【０１２４】
これにより、医療従事者（操作者）及び患者（被測定者）は、施術効果が最大となる施術回数を予測できる。
【０１２５】
＜本開示のまとめ＞
本開示では、肌分析装置１０は、被測定者の顔画像から特定した顔部位の位置を基準に、顔画像に対して顔座標を設定する顔座標設定部２０３と、被測定者の第１の顔画像に対して第１の注目領域を設定し、被測定者の第２の顔画像に対して顔座標において第１の注目領域と共通である第２の注目領域を設定する注目領域設定部２０７と、第１の顔画像と第２の顔画像とを並べて表示すると共に、第１の顔画像に対する第１の注目領域における肌分析結果と、第２の顔画像に対する第２の注目領域における肌分析結果とを表示する肌分析ＵＩ部２０６と、を備える。
【０１２６】
このように、被測定者の２つの顔画像に対して顔部位を基準に顔座標を設定し、各顔画像に対して、顔座標にて共通の注目領域を設定し、当該注目領域における肌分析結果を並べて表示することにより、異なるタイミングで撮影された顔画像であっても、実質的に共通な注目領域における肌状態の変化を容易に比較できる。
【０１２７】
図２９は、各装置の機能をプログラムにより実現するコンピュータのハードウェア構成を示す図である。このコンピュータ２１００は、キーボード又はマウス、タッチパッドなどの入力装置２１０１、ディスプレイ又はスピーカーなどの出力装置２１０２、ＣＰＵ（Central Processing Unit）２１０３、ＲＯＭ（Read Only Memory）２１０４、ＲＡＭ（Random Access Memory）２１０５、ハードディスク装置又はＳＳＤ（Solid State Drive）などの記憶装置２１０６、ＤＶＤ−ＲＯＭ（Digital Versatile Disk Read Only Memory）又はＵＳＢ（Universal Serial Bus）メモリなどの記録媒体から情報を読み取る読取装置２１０７、ネットワークを介して通信を行う通信装置２１０８を備え、各部はバス２１０９により接続される。
【０１２８】
そして、読取装置２１０７は、上記各装置の機能を実現するためのプログラムを記録した記録媒体からそのプログラムを読み取り、記憶装置２１０６に記憶させる。あるいは、通信装置２１０８が、ネットワークに接続されたサーバ装置と通信を行い、サーバ装置からダウンロードした上記各装置の機能を実現するためのプログラムを記憶装置２１０６に記憶させる。
【０１２９】
そして、ＣＰＵ２１０３が、記憶装置２１０６に記憶されたプログラムをＲＡＭ２１０５にコピーし、そのプログラムに含まれる命令をＲＡＭ２１０５から順次読み出して実行することにより、上記各装置の機能が実現される。
【０１３０】
本開示はソフトウェア、ハードウェア、又は、ハードウェアと連携したソフトウェアで実現することが可能である。
【０１３１】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０１３２】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。
【０１３３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１３４】
本開示の一態様は、肌分析システムに有用である。
【符号の説明】
【０１３５】
１０  肌分析装置
２０  肌分析ＤＢ
３０  電子カルテ装置
３２  タブレット端末
４０  電子カルテＤＢ
６０  連携ＤＢ
１０１  カメラ
１０２  ディスプレイ
１０３  入力Ｉ／Ｆ
１０４  記憶部
１０５  制御部
２０１  撮影処理部
２０２  顔部位認識部
２０３  顔座標設定部
２０４  分析領域設定部
２０５  肌分析実行部
２０６  肌分析ＵＩ部
２０７  注目領域設定部
２０８  施術分析部
３０１  カルテＵＩ部
【図１】
2020081323.tif 000003
【図２】
2020081323.tif 000004
【図３】
2020081323.tif 000005
【図４】
2020081323.tif 000006
【図５】
2020081323.tif 000007
【図６】
2020081323.tif 000008
【図７】
2020081323.tif 000009
【図８】
2020081323.tif 000010
【図９】
2020081323.tif 000011
【図１０】
2020081323.tif 000012
【図１１】
2020081323.tif 000013
【図１２】
2020081323.tif 000014
【図１３】
2020081323.tif 000015
【図１４】
2020081323.tif 000016
【図１５】
2020081323.tif 000017
【図１６】
2020081323.tif 000018
【図１７】
2020081323.tif 000019
【図１８】
2020081323.tif 000020
【図１９】
2020081323.tif 000021
【図２０】
2020081323.tif 000022
【図２１】
2020081323.tif 000023
【図２２】
2020081323.tif 000024
【図２３】
2020081323.tif 000025
【図２４】
2020081323.tif 000026
【図２５】
2020081323.tif 000027
【図２６】
2020081323.tif 000028
【図２７】
2020081323.tif 000029
【図２８】
2020081323.tif 000030
【図２９】
2020081323.tif 000031